(57)【要約】【課題】建具の断熱性を向上させる。【解決手段】建具は、一対の保持部２の間であってトップライト３よりも屋内側において移動可能に設けられる遮蔽部２０と、一対の保持部２にそれぞれ設けられ、遮蔽部２０に摺接して遮蔽部２０の移動を案内する一対のガイド部材３０と、トップライト３の日射を遮蔽する遮蔽位置に移動した遮蔽部２０に当接し、トップライト３と遮蔽部２０との間の空気層が屋内に流入することを防ぐ当接部材と、を備える。【選択図】図１
2020029672.tif 000002
【特許請求の範囲】
【請求項１】
一対の保持部の間に取り付けられるトップライトからの日射を遮蔽する建具であって、
前記一対の保持部の間であって前記トップライトよりも屋内側において移動可能に設けられる遮蔽部と、
前記一対の保持部にそれぞれ設けられ、前記遮蔽部に摺接して前記遮蔽部の移動を案内する一対のガイド部材と、
前記トップライトの日射を遮蔽する遮蔽位置に移動した前記遮蔽部に当接し、前記トップライトと前記遮蔽部との間の空気層が屋内に流入することを防ぐ当接部材と、を備えることを特徴とする建具。
【請求項２】
前記遮蔽部は、
前記トップライトからの日射を遮蔽する本体部と、
前記本体部に設けられるフレーム部材と、を有し、
前記フレーム部材は、
前記ガイド部材上を摺動する摺動部と、
前記遮蔽部が前記遮蔽位置である際に、前記当接部材と当接する封止部と、を有することを特徴とする請求項１に記載の建具。
【請求項３】
前記封止部には、前記封止部を挟んで前記空気層に面する位置に、補助断熱材が設けられることを特徴とする請求項２に記載の建具。
【請求項４】
前記本体部は、ポリスチレンフォームで形成されることを特徴とする請求項２または３に記載の建具。
【請求項５】
前記ガイド部材と前記封止部との間には、潤滑材が設けられることを特徴とする請求項２から４のいずれか一つに記載の建具。
【請求項６】
前記摺動部と前記封止部とは、一体に成形されることを特徴とする請求項２から５のいずれか一つに記載の建具。
【発明の詳細な説明】
【技術分野】
【０００１】
本発明は、建具に関するものである。
【背景技術】
【０００２】
特許文献１には、建具として、サンルーム上の屋根に天窓が開閉可能に設けられ、屋根または天窓には、この天窓への日射を遮蔽可能とする遮蔽部材が開閉可能に設けられる構成が開示されている。
【先行技術文献】
【特許文献】
【０００３】
【特許文献１】特開２０１１−３２６４９号公報
【発明の概要】
【発明が解決しようとする課題】
【０００４】
特許文献１には、遮蔽部材として例えばロールブラインドが用いられることが記載されている。しかしながら、ロールブラインドは、日射の遮蔽効果は有するが、屋根との間の気密性が低い。よって、上記建具では、サンルーム内の温度が、冬期の夜間などでは低下しやすく、夏期の日中などでは上昇しやすい。
【０００５】
本発明は、上記の問題点に鑑みてなされたものであり、高い断熱性を有する建具を提供することを目的とする。
【課題を解決するための手段】
【０００６】
本発明は、一対の保持部の間に取り付けられるトップライトからの日射を遮蔽する建具であって、一対の保持部の間であって前記トップライトよりも屋内側において移動可能に設けられる遮蔽部と、一対の保持部にそれぞれ設けられ、遮蔽部に摺接して遮蔽部の移動を案内する一対のガイド部材と、トップライトの日射を遮蔽する遮蔽位置に移動し、遮蔽部に当接し、トップライトと遮蔽部との間の空気層が屋内に流入することを防ぐ当接部材と、を備えることを特徴とする。
【発明の効果】
【０００７】
本発明によれば、遮蔽部は、トップライトからの日射を遮蔽する遮蔽位置にある際には、ガイド部材と当接部材とに当接する。これにより、トップライトと遮蔽部との間の空気層が、遮蔽部よりも屋内側へ流入することが防止される。したがって、建具による気密性が向上して、建具の断熱性を高めることができる。
【図面の簡単な説明】
【０００８】
【図１】本発明の実施形態に係る建具及びこれを備える建物を模式的に示した断面図である。
【図２】本発明の実施形態に係る建具を示す断面図である。
【図３】図２におけるＩＩＩ−ＩＩＩ線断面図である。
【図４】図３におけるＩＶ−ＩＶ線断面図である。
【図５】本発明の実施形態に係る建具の遮蔽部を示す斜視図である。
【図６】本発明の実施形態に係る建具の遮蔽部の組み立て方法を説明するための斜視図である。
【発明を実施するための形態】
【０００９】
以下、添付図面を参照しながら本発明の実施形態に係る建具１００及びこれを備える建物１０１について説明する。なお、各図面においては、説明の便宜上、各構成の縮尺を適宜変更しており、必ずしも厳密に図示されたものではない。
【００１０】
建物１０１には、図１から図４に示すように、互いに平行に延びる一対の保持部２の間にトップライト（天窓）３が設けられる。一対の保持部２は、例えば、屋根面１ａを支持する垂木である。トップライト３及び保持部２は、屋根面１ａに沿って傾斜している。また、建物１０１には、トップライト３と建物１０１の壁部１ｂとの間の隙間に、面戸ガラス４が設けられる。面戸ガラス４は、鉛直方向に沿って設けられ、壁部１ｂに取り付けられる一対のガラス押え５（図２参照）によって挟持されて壁部１ｂに固定される。
【００１１】
建具１００は、トップライト３から建物１０１の屋内への日射を遮蔽する。建具１００は、主に図１に示すように、一対の保持部２に沿って移動可能に設けられトップライト３からの日射を遮蔽する遮蔽部２０と、遮蔽部２０に接続されるワイヤ１１と、ワイヤ１１を巻き取るモータ１２と、遮蔽部２０に摺接して遮蔽部２０の移動を案内する一対のガイド部材３０（図３参照）と、を備える。
【００１２】
遮蔽部２０は、図１及び図３に示すように、一対の保持部２の間であって、トップライト３よりも屋内側に設けられる。遮蔽部２０は、トップライト３を完全に覆う遮蔽位置（図１、２に示す状態）と、トップライト３を覆わずに屋内に露出させトップライト３からの日射を屋内に取り込む開放位置と、の間で移動する。遮蔽位置から開放位置への遮蔽部２０の移動量の増加に伴い、トップライト３が屋内に露出する面積が増加し、屋内に取り込まれる日射量が増加する。なお、以下では、遮蔽位置側を移動方向の前方、開放位置側を移動方向の後方と称する。また、一対の保持部２が並ぶ方向（図３中左右方向）を左右方向と称する。移動方向と左右方向は、直交する。
【００１３】
遮蔽部２０は、モータ１２でワイヤ１１を巻き取りまたは繰り出すことで、屋根に沿って移動する。開放位置からモータ１２によってワイヤ１１を繰り出すと、自重により遮蔽部２０が遮蔽位置へ向けて移動する。これにより、屋内に露出するトップライト３の面積が減少し、トップライト３からの日射が遮蔽される。遮蔽位置からモータ１２によってワイヤ１１が巻き取られると、遮蔽部２０が開放位置へ向けて移動する。これにより、屋内に露出するトップライト３の面積が増加して、日射が屋内に取り込まれる。なお、ワイヤ１１の巻き取り及び繰り出しは、モータ１２によるものに限らず、例えば、手動によるものでもよい。
【００１４】
一対のガイド部材３０は、図３に示すように、一対の保持部２において互いに対向する対向面に形成され保持部２に沿って延びるスリット２ａにそれぞれ設けられる。一対のガイド部材３０は、それぞれ略Ｌ字状に形成され、スリット２ａに嵌合することで保持部２に固定される。ガイド部材３０は、例えばアルミニウム等の金属で形成される。
【００１５】
遮蔽部２０は、主に図５に示すように、日射を遮蔽し、断熱性を有する本体部としての断熱材２１と、断熱材２１に設けられるフレーム部材２５と、を有する。
【００１６】
断熱材２１は、例えばポリスチレンフォームで形成される。本実施形態では、断熱材２１は、六面体に形成される。以下、断熱材２１において、トップライト３に対向する面を「上面２１ａ」、上面２１ａに平行な面であって、屋内に臨む面を「底面２１ｂ」、保持部２に対向する２つの面を「側面２１ｃ」及び「側面２１ｄ」、面戸ガラス４に対向する移動方向前方の面を「前面２１ｅ」、ワイヤ１１に接続された移動方向後方の面を「後面２１ｆ」とする。断熱材２１は、上面２１ａ及び底面２１ｂがトップライト３と平行になるように設けられる。前面２１ｅは、面戸ガラス４と平行となるように鉛直方向に延び、上面２１ａ及び底面２１ｂに対して傾斜する。つまり、断熱材２１は、直方体のうちの１面（前面２１ｅ）を斜面とした六面体である。
【００１７】
フレーム部材２５は、例えばアルミニウム等の金属で形成される。フレーム部材２５は、ガイド部材３０上を摺動する一対の摺動部２６と、一対の摺動部２６の移動方向前方側の端部を接続する平板状の第１封止部２７と、一対の摺動部２６の移動方向後方側の端部を接続する平板状の第２封止部２８と、を有する。フレーム部材２５は、図６に示すように、一対の摺動部２６、第１封止部２７、及び第２封止部２８によって矩形をなすように構成され、内側に断熱材２１を収容する矩形の収容空間Ｓが区画される。摺動部２６、第１封止部２７、及び第２封止部２８は、板材のプレス成型や、溶接・ねじ止め等の方法により、互いに一体化されている。
【００１８】
一対の摺動部２６は、それぞれＬ字形状に形成される。具体的には、一対の摺動部２６は、図３及び図５に示すように、断熱材２１の側面２１ｃ及び２１ｄに沿う取付部２６ａと、断熱材２１とは反対側に向けて取付部２６ａに対して垂直に突出するフランジ部２６ｂと、をそれぞれ有する。
【００１９】
断熱材２１は、図３に示すように、屋内側の部位（図３中下側の部位）がトップライト側の部位（図３中上側の部位）よりも、左右方向の幅が小さくなるように形成される。断熱材２１の幅の違いによって、断熱材２１の側面２１ｃ及び２１ｄには、それぞれ段差面２２が形成される。取付部２６ａは、段差面２２に接触し、ボルト（図示省略）により断熱材２１に取り付けられる。
【００２０】
フランジ部２６ｂは、図３に示すように、ガイド部材３０に載置され、ガイド部材３０上を摺動する。フランジ部２６ｂとガイド部材３０との間には、例えばウレタン系樹脂等で形成されるシート状の潤滑材が設けられる。
【００２１】
第１封止部２７は、図２に示すように、底面２１ｂから突出するように、屋内側（トップライト３とは反対側）に向けて延びる。また、第１封止部２７は、断熱材２１の前面２１ｅに形成される段差面２２に当接する。第１封止部２７において底面２１ｂから突出する部分には、第１補助断熱材４０が設けられる。第１補助断熱材４０は、第１封止部２７を挟んで空気層Ｏに面する。
【００２２】
第２封止部２８は、上面２１ａから突出するように、トップライト３側に向けて延びる（図２参照）。また、第２封止部２８は、側面２１ｃ，２１ｄから突出するように、左右方向に延びる（図４参照）。第２封止部２８において上面２１ａから突出する部分及び側面２１ｃ，２１ｄから突出する部分には、第２補助断熱材４１が設けられる。第２補助断熱材４１は、第２封止部２８を挟んで空気層Ｏに面する。第１及び第２補助断熱材４０，４１は、断熱性能が高い材質、例えばウレタン系樹脂で構成される。
【００２３】
建具１００は、図２及び図４に示すように、遮蔽部２０が遮蔽位置である際に、遮蔽部２０に当接する当接部材として第１当接部材５０、第２当接部材５１、第３当接部材５２、及び第４当接部材５３をさらに備える。第１当接部材５０は、遮蔽部２０が遮蔽位置まで移動すると、第１封止部２７に当接する。第２当接部材５１、第３当接部材５２、及び第４当接部材５３は、遮蔽部２０が遮蔽位置まで移動すると、第２封止部２８に当接する。図５において、第１封止部２７及び第２封止部２８のハッチングが施された部分が、当接部材（第１当接部材５０、第２当接部材５１、第３当接部材５２、及び第４当接部材５３）と当接する部分である。第１当接部材５０、第２当接部材５１、第３当接部材５２、及び第４当接部材５３は、それぞれ弾性を有するゴム等の樹脂材である。
【００２４】
第１当接部材５０は、図２に示すように、面戸ガラス４を挟持する屋内側のガラス押え５に隣接して、建物１０１の壁部に設けられる。第１当接部材５０は、断熱材２１の底面２１ｂから突出する第１封止部２７に接触すると共に、一対の摺動部２６の前方の端部に接触する。
【００２５】
第２当接部材５１は、屋根板１ａに設けられる戸当たり９に設けられる。第２当接部材５１は、断熱材２１の上面２１ａから突出する第２封止部２８に接触する。
【００２６】
第３当接部材５２及び第４当接部材５３は、図４に示すように、それぞれ一対の保持部２に設けられる戸当たり１０に設けられる。第３当接部材５２及び第４当接部材５３は、断熱材２１の側面２１ｃ，２１ｄから左右方向に突出する第２封止部２８に接触する。第２当接部材５１、第３当接部材５２、及び第４当接部材５３とは、一体化されて略コの字状に形成される。
【００２７】
以上のように、遮蔽部２０が遮蔽位置まで移動すると、フレーム部材２５の第１封止部２７が第１当接部材５０に当接し、第２封止部２８が第２当接部材５１、第３当接部材５２、及び第４当接部材５３に当接する。言い換えれば、第１当接部材５０、第２当接部材５１、第３当接部材５２、及び第４当接部材５３は、前方への遮蔽部２０の移動を規制して、遮蔽位置を規定する。第１当接部材５０、第２当接部材５１、第３当接部材５２、及び第４当接部材５３は、遮蔽位置において、遮蔽部２０と、建物１０１のトップライト３、面戸ガラス４、及び保持部２と、の間の隙間を封止する。これにより、遮蔽部２０、トップライト３、面戸ガラス４、及び保持部２の間に区画される空気層Ｏが密封される。このため、日射などの放射や外気の影響で暖められたり、冷やされたりした空気層Ｏの空気が屋内に流入することが抑制される。したがって、遮蔽部２０の断熱性を高めることができる。
【００２８】
また、遮蔽部２０は、摺動部２６とガイド部材３０とが摺動するため、遮蔽部２０が遮蔽位置である際、空気層Ｏが摺動部２６とガイド部材３０の間を通じて屋内に流入することも抑制される。さらに、摺動部２６とガイド部材３０との間には、潤滑材が設けられるため、潤滑材によって気密性がより一層保たれる。
【００２９】
また、図２や図４に示すように、遮蔽部２０が遮蔽位置である際に空気層Ｏに面する第１封止部２７及び第２封止部２８には、空気層Ｏとは反対側（屋内側）から第１及び第２補助断熱材４０，４１が取り付けられる。これにより、フレーム部材２５を通じた空気層Ｏから屋内への熱移動が抑制される。よって、遮蔽部２０の断熱性をさらに高めることができる。
【００３０】
また、建具１００の断熱性が高いため、トップライト３に高い断熱性を持たせなくてもよい。そのため、トップライト３を単層ガラスにすることができ、コストを削減することができる。
【００３１】
断熱材２１とフレーム部材２５を組み付ける際には、図６に示すように、断熱材２１の前面２１ｅの段差面２２が第１封止部２７に当接し、側面２１ｃ，２１ｄの段差面２２が摺動部２６の取付部２６ａに当接するまで、断熱材２１をフレーム部材２５の上方から収容空間Ｓに向けて挿入する。このようにして、収容空間Ｓに断熱材２１を収容した状態で、取付部２６ａと断熱材２１にわたってボルトを挿入し、ボルト締結によりフレーム部材２５を断熱材２１に取り付ける。このように、フレーム部材２５は、予め一体化されているため、断熱材２１を上方から収容空間Ｓに収容して、ボルト締結するだけで遮蔽部２０を組み立てることができる。
【００３２】
次に、本実施形態の変形例について説明する。
【００３３】
本実施形態では、建物１０１は、ガラス押え５により固定される面戸ガラス４を有する。これに対し、面戸ガラス４及びガラス押え５は設けられなくてもよい。
【００３４】
また、本実施形態では、第１封止部２７は、断熱材２１の下面から屋内側に突出し、第１当接部材５０に当接する。これに対し、特に面戸ガラス４が設けられない場合など、第１封止部２７に当接して空気層Ｏを密封できる限り、第１当接部材５０は、任意の構成（位置、形状）とすることができる。第２当接部材５１、第３当接部材５２、及び第４当接部材５３も、空気層Ｏを密封できる限り、任意の構成とすることができる。
【００３５】
また、本実施形態では、遮蔽部２０は、断熱性を有する断熱材２１と、断熱材２１に設けられるフレーム部材２５と、を備える。これに対し、フレーム部材２５を設けず、断熱材２１がガイド部材３０に直接摺動すると共に、第１当接部材５０、第２当接部材５１、第３当接部材５２、及び第４当接部材５３に直接当接するものでもよい。言い換えれば、断熱材２１の一部を上記実施形態におけるフレーム部材２５として機能させてもよい。
【００３６】
また、上記実施形態では、断熱材２１は、六面体である。これに対し、断熱材２１の形状は、これに限らず、任意の形状とすることができる。また、フレーム部材２５は、断熱材２１に取り付け可能であれば、任意の形状とすることができる。
【００３７】
また、上記実施形態では、断熱材２１は、ポリスチレンフォームにより形成される。これに対し、断熱材２１は、ポリスチレンフォームに限らず、その他の材質で形成されてもよい。断熱材２１の材質としては、例えば、硬質ウレタンフォーム、フェノールフォーム、真空断熱材などであってもよい。また、断熱材２１は、日射を遮蔽する箱状の筐体（容器）と、筐体内に封入されるグラスウールやエアロゲルなどの断熱材料と、によって構成されるものであってもよい。また、本体部は、高い断熱性を有する断熱材２１であることが望ましいが、これに限らず、少なくとも日射を遮蔽可能な材質や構成であればよい。
【００３８】
以上の実施形態によれば、以下に示す効果を奏する。
【００３９】
建具１００は、遮蔽部２０が遮蔽位置である際には、フレーム部材２５の第１封止部２７と第１当接部材５０、第２封止部２８と第２当接部材５１及び第３当接部材５２、摺動部２６とガイド部材３０とが当接する。これにより、遮蔽部２０が遮蔽位置である際に、トップライト３と遮蔽部２０との間の空気層Ｏが屋内に流入することを防ぐことができ、日射を遮蔽する際の遮蔽部２０、すなわち、建具１００の断熱性を高めることができる。
【００４０】
また、遮蔽部２０が遮蔽位置である際に空気層Ｏに面する第１封止部２７及び第２封止部２８には、空気層Ｏとは反対側（屋内側）から第１及び第２補助断熱材４０，４１が取り付けられる。これにより、遮蔽部２０の断熱性をさらに高めることができる。
【００４１】
また、建具１００の断熱性が高いため、トップライト３を単層ガラスにすることができ、コストを削減することができる。
【００４２】
また、摺動部２６とガイド部材３０との間に、潤滑材が設けられるため、遮蔽部２０の移動を円滑に行うことができると共に、気密性を向上させることができる。
【００４３】
また、フレーム部材２５の摺動部２６と、第１封止部２７と、第２封止部２８とを一体成形することで、フレーム部材２５が簡易な構造となり、遮蔽部２０の組み立てを容易に行うことができる。
【００４４】
以上、本発明の実施形態について説明したが、上記実施形態は本発明の適用例の一部を示したに過ぎず、本発明の技術的範囲を上記実施形態の具体的構成に限定する趣旨ではない。
【符号の説明】
【００４５】
２    保持部
３    トップライト
２０    遮蔽部
２１    断熱材（本体部）
２５    フレーム部材
２６    摺動部
２７    第１封止部（封止部）
２８    第２封止部（封止部）
３０    ガイド部材
４０    第１補助断熱材（補助断熱材）
４１    第２補助断熱材（補助断熱材）
５０    第１当接部材（当接部材）
５１    第２当接部材（当接部材）
５２    第３当接部材（当接部材）
５３    第４当接部材（当接部材）
１００    建具
【図１】
2020029672.tif 000003
【図２】
2020029672.tif 000004
【図３】
2020029672.tif 000005
【図４】
2020029672.tif 000006
【図５】
2020029672.tif 000007
【図６】
2020029672.tif 000008
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
一対の保持部の間に取り付けられるトップライトからの日射を遮蔽する建具であって、
前記一対の保持部の間であって前記トップライトよりも屋内側において移動可能に設けられる遮蔽部と、
前記一対の保持部にそれぞれ設けられ、前記遮蔽部に摺接して前記遮蔽部の移動を案内する一対のガイド部材と、
前記トップライトの日射を遮蔽する遮蔽位置に移動した前記遮蔽部に当接し、前記トップライトと前記遮蔽部との間の空気層の空気が屋内に流入することを防ぐ当接部材と、を備えることを特徴とする建具。
【請求項２】
前記遮蔽部は、
前記トップライトからの日射を遮蔽する本体部と、
前記本体部に設けられるフレーム部材と、を有し、
前記フレーム部材は、
前記ガイド部材上を摺動する摺動部と、
前記遮蔽部が前記遮蔽位置である際に、前記当接部材と当接する封止部と、を有することを特徴とする請求項１に記載の建具。
【請求項３】
一対の保持部の間に取り付けられるトップライトからの日射を遮蔽する建具であって、
前記一対の保持部の間であって前記トップライトよりも屋内側において移動可能に設けられる遮蔽部と、
前記一対の保持部にそれぞれ設けられ、前記遮蔽部に摺接して前記遮蔽部の移動を案内する一対のガイド部材と、
前記トップライトの日射を遮蔽する遮蔽位置に移動した前記遮蔽部に当接し、前記トップライトと前記遮蔽部との間の空気層の空気が屋内に流入することを防ぐ当接部材と、を備え、
前記遮蔽部は、
前記トップライトからの日射を遮蔽する本体部と、
前記本体部に設けられるフレーム部材と、を有し、
前記フレーム部材は、
前記ガイド部材上を摺動する摺動部と、
前記遮蔽部が前記遮蔽位置である際に、前記当接部材と当接する封止部と、を有し、
前記封止部には、前記封止部を挟んで前記空気層に面する位置に、補助断熱材が設けられることを特徴とする建具。
【請求項４】
前記本体部は、ポリスチレンフォームで形成されることを特徴とする請求項２または３に記載の建具。
【請求項５】
前記ガイド部材と前記摺動部との間には、潤滑材が設けられることを特徴とする請求項２から４のいずれか一つに記載の建具。
【請求項６】
前記摺動部と前記封止部とは、一体に成形されることを特徴とする請求項２から５のいずれか一つに記載の建具。
【手続補正２】
【補正対象書類名】明細書
【補正対象項目名】０００６
【補正方法】変更
【補正の内容】
【０００６】
本発明は、一対の保持部の間に取り付けられるトップライトからの日射を遮蔽する建具であって、一対の保持部の間であって前記トップライトよりも屋内側において移動可能に設けられる遮蔽部と、一対の保持部にそれぞれ設けられ、遮蔽部に摺接して遮蔽部の移動を案内する一対のガイド部材と、トップライトの日射を遮蔽する遮蔽位置に移動し、遮蔽部に当接し、トップライトと遮蔽部との間の空気層の空気が屋内に流入することを防ぐ当接部材と、を備えることを特徴とする。